(57)【要約】【課題】筐体と、筐体延伸部と、プレートと、カバーと、第１スピーカおよび第２スピーカとを備えるイヤホンを提供する。【解決手段】第１スピーカはプレートの支持部分上であって、第１平面上に設けられており、第２スピーカは第１平面とは異なる第２平面上に設けられている。イヤホンから該イヤホンを身に着けているユーザに向けた音の方向において、第１スピーカの位置と第２スピーカの位置には距離がある。このように距離があるので、音場においてより多くの特殊効果を実現することができるとともに、周波数領域によってはより良好な周波数応答を達成することができる。またさらに、イヤホン内に設けられた複数のスピーカが生成する音場同士の間で干渉が起こらないようにすることができるので、全体的な音場の質が高くなる。【選択図】  図２
2008054270.tif 000002
【特許請求の範囲】
【請求項１】
イヤホンであって、
筐体と、
前記筐体から延伸している筐体延伸部と、
前記筐体延伸部上に配設され、前記筐体に対してメイン音場である空間を形成するプレートと、
前記筐体延伸部上に配設され、前記プレートの外側に前記空間と反対側になるように位置決めされる、前記筐体を被覆するカバーと、
第１スピーカおよび第２スピーカと
を備え、
前記第１スピーカは前記プレートの支持部分上であって、第１平面上に設けられており、前記第２スピーカは前記第１平面とは異なる第２平面上に設けられ、前記イヤホンから該イヤホンを身に着けているユーザに向けた音の方向において、前記第１スピーカの位置と前記第２スピーカの位置には距離がある
イヤホン。
【請求項２】
前記第２スピーカは前記プレート上に設けられており、前記イヤホンから該イヤホンを身に着けているユーザに向けた音の方向において、前記第１スピーカの位置と前記第２スピーカの位置の距離は、前記支持部分の高さである
請求項１に記載のイヤホン。
【請求項３】
前記第１スピーカは、２．１チャンネルのメインスピーカである
請求項２に記載のイヤホン。
【請求項４】
前記第２スピーカは、２．１チャンネルのサブウーファスピーカである
請求項３に記載のイヤホン。
【請求項５】
前記第１スピーカは、２．１チャンネルのサブウーファスピーカである
請求項２に記載のイヤホン。
【請求項６】
前記第２スピーカは、２．１チャンネルのメインスピーカである
請求項５に記載のイヤホン。
【請求項７】
前記プレート上に合成チェンバが設けられており、前記第２スピーカは第３スピーカおよび第４スピーカとともに当該合成チェンバ内に設けられている
請求項１に記載のイヤホン。
【請求項８】
前記第１スピーカは５．１チャンネルのメインスピーカで、前記第２スピーカは５．１チャンネルのサブウーファスピーカである
請求項７に記載のイヤホン。
【請求項９】
前記第３スピーカは５．１チャンネルのセンタースピーカで、前記第４スピーカは５．１チャンネルのサラウンドスピーカである
請求項８に記載のイヤホン。
【発明の詳細な説明】
【技術分野】
【０００１】
本発明はイヤホンに関する。より具体的には、スピーカを複数備えるイヤホンに関する。
【背景技術】
【０００２】
技術が発展するにつれて、日常生活においてデジタル形式の娯楽の人気が高くなっている。例を挙げると、デジタル・ビデオ・ディスク（ＤＶＤ）が家庭でのビデオプレーヤーとして一般的となっている。ＤＶＤプレーヤーは基本的に、ドルビー・デジタル・システムまたはデジタル・シアター・システム用の復調機能を備えており、デジタル信号を復調して、アナログ信号をスピーカに出力する。そしてスピーカが音を送出する。日常生活においてデジタル形式の娯楽を高品質で提供するためには、多チャンネルのスピーカが必要不可欠である。多チャンネルスピーカとしては５．１チャンネルのスピーカが広く知られている。
【０００３】
しかしながら、音がほかの人にとって迷惑となるような状況においてはスピーカを使用できない。代わりにイヤホンを利用することが好ましい。多チャンネル音源の高品質化とイヤホンの小型化を同時に達成するべく、さまざまなデザインが提案されてきた。イヤホン内の空間はホームシアターのように大きくないので、多チャンネルのサラウンド・サウンド効果を得るためには、回路デザインなどに基づいて音信号のデジタル処理が採用される。この場合、音信号はデジタル処理に基づいて制御できるが、出力される音場の質が比較的低い。ホームシアターの多チャンネルスピーカと比較すると従来のイヤホンは、同様の高い音質およびサウンド効果を提供できない。
【発明の開示】
【発明が解決しようとする課題】
【０００４】
本発明は、イヤホン内に設けられた複数の異なるスピーカが生成する音場同士の干渉を防ぐことができるイヤホンを提供する。
【課題を解決するための手段】
【０００５】
本明細書で実施形態を説明するが、本発明は、筐体と、筐体延伸部と、プレートと、カバーと、第１スピーカおよび第２スピーカとを備えるイヤホンに関する。筐体延伸部は筐体から延伸している。プレートは、筐体延伸部上に配設され、筐体に対してメイン音場である空間を形成する。カバーは、筐体延伸部上に配設され、プレートの外側に前記空間と反対側になるように位置決めされ、筐体を被覆する。第１スピーカはプレートの支持部分上であって、第１平面上に設けられており、第２スピーカは第１平面とは異なる第２平面上に設けられ、イヤホンから該イヤホンを身に着けているユーザに向けた音の方向において、第１スピーカの位置と第２スピーカの位置には距離がある。
【０００６】
第２スピーカはプレート上に設けられており、イヤホンから該イヤホンを身に着けているユーザに向けた音の方向において、第１スピーカの位置と第２スピーカの位置の距離は、支持部分の高さである。第１スピーカおよび第２スピーカはそれぞれ、２．１チャンネルのメインスピーカ、または２．１チャンネルのサブウーファスピーカである。
【０００７】
本発明の一実施形態によると、プレート上に合成チェンバが設けられており、第２スピーカは第３スピーカおよび第４スピーカとともに当該合成チェンバ内に設けられている。一実施形態によると、第１スピーカは５．１チャンネルのメインスピーカで、第２スピーカは５．１チャンネルのサブウーファスピーカである。第３スピーカは５．１チャンネルのセンタースピーカで、第４スピーカは５．１チャンネルのサラウンドスピーカである。
【０００８】
本発明の、上述およびそれ以外の目的、特徴ならびに効果を説明するべく、好ましい実施形態を添付図面とともに以下で詳細に説明する。
【図面の簡単な説明】
【０００９】
添付の図面は本発明をさらに説明するためのものであり、本明細書に組み込まれるとともにその一部とする。添付図面は本発明の実施形態を説明するものであって、図面の説明と併せて、本発明の原則を説明する。
【００１０】
【図１】２．１チャンネルの従来のイヤホンを示す図である。
【００１１】
【図２】本発明の一実施形態に係る、２．１チャンネルのイヤホンを示す図である。
【００１２】
【図３】本発明の一実施形態に係る、５．１チャンネルを持つイヤホンを示す図である。
【発明を実施するための最良の形態】
【００１３】
以下に本発明の好ましい実施形態を詳細に説明する。実施形態の例を添付の図面に図示する。可能であれば、同一もしくは類似の構成要素については、図面および明細書において同じ参照番号を利用する。
【００１４】
本発明に係るイヤホンは、本願出願人が開発した一連の多チャンネルイヤホンの最適なデザインのうちの１つである。本発明に係るイヤホンは、イヤホンのチェンバを変更して、音質を改善するべくチェンバの体積を調整するといった特徴を持ち、こういった特徴に関しては、台湾特許出願第９３１０７６２１号（出願日：２００４年３月２２日、発明の名称：合成音場を持つイヤホン構造）、台湾特許出願第９３１１１９８５号（出願日：２００４年４月２９日、発明の名称：合成音場を持つイヤホン構造）、台湾特許出願第９４１０３５５３号（出願日：２００５年２月４日、発明の名称：多チャンネルイヤホン）、台湾特許出願第９５１０５６０９号（出願日：２００６年２月２０日、発明の名称：多チャンネルイヤホン）、または台湾特許出願第９５１２０５１８号（出願日：２００６年６月９日、発明の名称：音ガイドチューブを有するイヤホン）を参照されたい。上記出願の内容は参照により本願に組み込まれ、詳細な説明は省略する。
【００１５】
具体的に言うと、上述した多チャンネルイヤホンは、ホームシアターで用いられる多チャンネルスピーカが提供する、例えば多チャンネルサラウンド・サウンド効果のようなサウンド効果を達成することを目的とした、音場の空間性および臨場感を高める技術に係るものである。このため、改善が見られればそれはどのようなものであれ、目的を達成することになる。本発明に係るイヤホンは、より特殊効果の多い音場を提供することができるとともに、周波数領域によっては周波数応答が改善される。さらに、本発明に係るイヤホンは、イヤホン内に設けられた複数の異なるスピーカが生成する音場同士の干渉を防ぐことができるので、全体的な音場の性能が向上する。
【００１６】
より特殊効果の多い音場を実現するとともに干渉の問題を解決するべく、本発明の一実施形態に係るイヤホン２００は、筐体延伸部２１４の延伸チェンバ２１３内に、メインスピーカ２３０およびサブウーファスピーカ２４０のいずれかを備える。メインスピーカ２３０とサブウーファスピーカ２４０の距離を異ならせることによって、メインスピーカ２３０とサブウーファスピーカ２４０が同時に音を送出する場合に、より多くの特殊効果を持つ音場を実現することができる。
【００１７】
２．１チャンネルの音源の場合、イヤホンにはメインスピーカとサブウーファスピーカが必要である。図１は２．１チャンネルのイヤホン１００の一面から見た様子を示しているが、イヤホン１００の別の面から見た様子が図１に示したものと類似していることは当業者には公知である。このため、その詳細な説明は省略する。
【００１８】
イヤホン１００は、メインボディ１１０および接続部１２０を備える。メインボディ１１０は、筐体１１２、筐体延伸部１１４およびカバー１１６を有する。筐体延伸部１１４は筐体１１２から延伸しており、カバー１１６と接続している。メインボディ１１０は内部にプレート１１８を有しており、プレート１１８はメインスピーカ１３０およびサブウーファスピーカ１４０を固定する。メインスピーカ１３０およびサブウーファスピーカ１４０は、メインボディ１１０内に配設され、接続部１２０を介して、２．１チャンネルの音源を受信する。優れたステレオサウンド効果を実現するべく、複数の異なる音信号をそれぞれメインスピーカ１３０およびサブウーファスピーカ１４０に入力することができる。イヤホン１００のメインスピーカ１３０およびサブウーファスピーカ１４０は、メインボディ１１０内のプレート１１８上に配設されている。つまり、メインスピーカ１３０およびサブウーファスピーカ１４０は、方向Ａに沿ってユーザに対して音を送出することに関して、同一平面上に配設されている。このため、メインスピーカ１３０およびサブウーファスピーカ１４０が同時に音を送出する場合において、同一方向の音場について距離に差はない。このため、メインボディ１１０内のメイン音場１１１と筐体延伸部１１４内の延伸音場１１３の間に干渉が発生し、イヤホン１００の性能が劣化してしまう。この問題は低周波数領域で特に顕著である。
【００１９】
多チャンネル音源に基づいてイヤホン内においてより多くのサウンド効果を実現するべく、本発明は、イヤホン内の空間的配置を変更することによってサウンド効果を向上させ干渉を防ぐイヤホン構造を提供する。
【００２０】
図２は、本発明の一実施形態に係る、２．１チャンネルのイヤホンを示す図である。図２は本発明に係るイヤホンの一面から見た様子を示すものであるが、該イヤホンの別の面から見た様子が図２に示したものに類似していることは当業者には公知である。このため、詳細な説明は省略する。
【００２１】
図２に示すように、２．１チャンネルのイヤホン２００はメインボディ２１０および接続部２２０を備える。メインボディ２１０は、筐体２１２、筐体延伸部２１４およびカバー２１６を有する。筐体延伸部２１４は筐体２１２から延伸しており、カバー２１６と接続する。メインボディ２１０は内部にプレート２１８を有し、該プレート２１８はメインスピーカ２３０およびサブウーファスピーカ２４０を固定する。メインスピーカ２３０およびサブウーファスピーカ２４０は、メインボディ２１０内に配設され、２．１チャンネルの音源を受信する。優れたステレオサウンド効果を実現するべく、複数の異なる音信号をそれぞれメインスピーカ２３０およびサブウーファスピーカ２４０に入力することができる。さらに、本発明の別の実施形態によれば、本発明の範囲を超えることなく、メインスピーカ２３０とサブウーファスピーカ２４０の位置を入れ替えることができる。
【００２２】
音場においてより多くの特殊効果を実現し、イヤホン内の複数の異なるスピーカが生成する音場同士の干渉を防ぐべく、本発明によれば、メインスピーカ２３０およびサブウーファスピーカ２４０のうちいずれかを筐体延伸部２１４の延伸チェンバ２１３内に設ける。このような構成とすることによって、メインスピーカ２３０からユーザまでの距離とサブウーファスピーカ２４０からユーザまでの距離を異ならせる。メインスピーカ２３０とサブウーファスピーカ２４０が距離および空間的配置に関して互いに異なるので、メインスピーカ２３０とサブウーファスピーカ２４０が同時に音を送出する場合に、より多くの特殊効果を持つ音場を実現することができる。
【００２３】
本実施形態に係るイヤホン２００に含まれるプレート２１８は、プレート２１８の表面から突出している支持部分２１８ａを有しており、メインスピーカ２３０は支持部分２１８ａ上に配設されている。つまり、メインスピーカ２３０およびサブウーファスピーカ２４０は異なる平面上に配設されている。図２に示すように、メインスピーカ２３０は筐体延伸部２１４の延伸チェンバ２１３内に配設され、メインスピーカ２３０とサブウーファスピーカ２４０の間で距離に関して差異があるように構成する。イヤホン２００からユーザに向けた方向Ｂに沿って、メインスピーカ２３０の方がサブウーファスピーカ２４０よりもユーザに近い。このように距離が異なることにより、メインスピーカ２３０が生成する音場とサブウーファスピーカ２４０が生成する音場との間で、干渉が発生するのを防ぐことができる。さらに、全体の音場のサウンド効果を向上させることができる。実際に行った実験によると、本実施形態に係るイヤホン２００は優れた効果を奏するとともに、特に低周波数領域において良好な周波数応答を達成することが分かっている。
【００２４】
メインスピーカ２３０およびサブウーファスピーカ２４０の位置を入れ替えてもよい。このような構成はデザインまたはそれ以外の必要条件に基づいて調整することができる。
【００２５】
イヤホンにおいては、例えば、メイン音のチャンネルまたはサブウーファ効果を強調することもある。
【００２６】
別の実施形態によると、メインスピーカ２３０およびサブウーファスピーカ２４０の位置を入れ替えてもよい。具体的には、サブウーファスピーカを筐体延伸部２１４の延伸チェンバ２１３内に配設して、メインスピーカ２３０およびサブウーファスピーカ２４０の間で距離が異なるようにしてもよい。イヤホン２００からユーザに向けた方向Ｂに沿って、サブウーファスピーカ２４０の方がメインスピーカ２３０よりもユーザに近くなる。
【００２７】
多チャンネル音源に基づいてイヤホン内でより多くのサウンド効果を実現するべく、本発明は、イヤホン内の空間的配置を変更することによって、サウンド効果を向上させ干渉の発生を防ぐイヤホン構造を提供する。上述のデザインは、５．１チャンネルまたは７．１チャンネルのイヤホンのような、ほかの多チャンネルイヤホンにも適している。より具体的に言うと、本発明に係るデザインは、上述した一連の特許出願に記載された多チャンネルイヤホンのサウンド効果を改善するのに適している。
【００２８】
図３は、本発明の一実施形態に係る、５．１チャンネルのイヤホンを示す図である。図３も同様に、本発明に係るイヤホンの一面から見た様子を示しているが、該イヤホンの別の面から見た様子は図３に図示されたものに類似していることは当業者に公知である。このため、詳細な説明は省略する。
【００２９】
図３に図示するように、５．１チャンネルのイヤホン３００はメインボディ３１０と接続部３２０を備える。メインボディ３１０は、筐体３１２、筐体延伸部３１４およびカバー３１６を有する。筐体延伸部３１４は筐体３１２から延伸し、カバー３１６と接続している。メインボディ３１０は内部にプレート３１８を有し、メインスピーカ３３０と合成チェンバ３４０を固定している。合成チェンバ３４０は、チェンバ３４２と複数のサブスピーカ３４４ａ、３４４ｂおよび３４４ｃを有する。
【００３０】
チェンバ３４２はプレート３１８上に配設されており、チェンバ３４２の出口はユーザに面している。サブスピーカ３４４ａ、３４４ｂおよび３４４ｃは、チェンバ３４２内に配設されている。これらのサブスピーカはそれぞれ、３４４ａがサブウーファスピーカ、３４４ｂが第１スピーカ、３４４ｃが第２スピーカであってもよい。図３に示すように、サブウーファスピーカ３４４ａがチェンバ３４２の後方に設けられている。第１スピーカ３４４ｂおよび第２スピーカ３４４ｃはそれぞれ、チェンバ３４２の対向する２つの面に設けられており、５．１チャンネルイヤホンのセンタースピーカまたはサラウンドスピーカとして構成されている。なお、本実施形態および図３は例にすぎず、本発明はこれに限定されるものではない。
【００３１】
メインスピーカ３３０および合成チェンバ３４０の構成、例えばチェンバ３４２のサイズやサブスピーカ３４４ａ〜３４４ｃの位置などは、上述の一連の特許出願に記載された多チャンネルイヤホンを参照されたい。具体的に説明すると、台湾特許出願第９３１０７６２１号（発明の名称：合成音場を持つイヤホン構造）は、イヤホンのチェンバの構造または体積を変更することによって音質を改善する技術を提供する。また、上述の台湾特許出願第９３１０７６２１号（発明の名称：合成音場を持つイヤホン構造）、台湾特許出願第９３１１１９８５号（発明の名称：合成音場を持つイヤホン構造）、台湾特許出願第９４１０３５５３号（発明の名称：多チャンネルイヤホン）、台湾特許出願第９５１０５６０９号（発明の名称：多チャンネルイヤホン）などの出願で開示されたイヤホンの構成によれば、違う面での改善を実現することができる。
【００３２】
本実施形態に係るイヤホン３００が含むプレート３１８は、該プレート３１８の表面から突出する支持部分３１８ａを有する。合成チェンバ３４０はプレート３１８の表面上に配設され、メインスピーカ３３０は支持部分３１８ａ上に設けられている。つまり、メインスピーカ３３０と合成チェンバ３４０が配設されている平面は異なる。メインスピーカ３３０は筐体延伸部３１３の延伸チェンバ３１４内に配設されており、このためメインスピーカ３３０と合成チェンバ３４０が距離に関して異なるように構成される。イヤホン３００からユーザに向けた方向Ｃに沿って、メインスピーカ３３０は合成チェンバ３４０よりもユーザに近い。このように距離を異ならせることによって、メインスピーカ３３０が生成する音場と合成チェンバ３４０が生成する音場との間において干渉の発生を防ぐことができる。さらに、全体の音場のサウンド効果を向上させることができる。
【００３３】
本発明の構造を、本発明の範囲または目的から離れることなく、さまざまに変形および変更することができるのは、当業者には明らかである。前述の内容に基づき、本願請求項およびそれに類するものの範囲にある限り、本発明の変形および変更も本発明に含めるものとする。
【図１】
2008054270.tif 000003
【図２】
2008054270.tif 000004
【図３】
2008054270.tif 000005
【外国語明細書】
2008054270.tif 000006
2008054270.tif 000007
2008054270.tif 000008
2008054270.tif 000009
2008054270.tif 000010
2008054270.tif 000011
2008054270.tif 000012
2008054270.tif 000013
2008054270.tif 000014
2008054270.tif 000015
2008054270.tif 000016
2008054270.tif 000017
2008054270.tif 000018
2008054270.tif 000019
2008054270.tif 000020
2008054270.tif 000021